(57)【要約】【課題】本願は新規な嵌合構造を有する嵌合容器を提供するものである。【解決手段】本発明は本体部、蓋部、連結部を有し、本体部はフランジ部を有し、蓋部は、本体部と蓋部を嵌合させたときに容器本体のフランジ部と接するフランジ部、該フランジ部から立ち上がるフランジスカート部を有し、フランジスカート部と蓋部の開口面とがなす角度と、フランジスカート部と蓋部のフランジ部が構成する開口面とがなす角度が共に９０゜以下である部分を有する容器である。また本発明は本体部、蓋部、連結部を有し、蓋部は、本体部と蓋部を嵌合させたときに逆テーパーとなる部分を有するフランジスカート部を有し、フランジスカート部と蓋部の開口面とがなす角度が９０゜以下である部分を有する容器である。【選択図】図５
2004075106.tif 000002
【特許請求の範囲】
【請求項１】
本体部、蓋部、連結部を有し、本体部はフランジ部を有し、蓋部は、本体部と蓋部を嵌合させたときに容器本体のフランジ部と接するフランジ部、該フランジ部から立ち上がるフランジスカート部を有し、フランジスカート部と蓋部の開口面とがなす角度と、フランジスカート部と蓋部のフランジ部が構成する開口面とがなす角度が共に９０゜以下である部分を有する容器。
【請求項２】
フランジスカート部と蓋部のフランジ部が構成する開口面とがなす角度が９０゜である部分を有する容器。
【請求項３】
本体部、蓋部、連結部を有し、蓋部は、本体部と蓋部を嵌合させたときに逆テーパーとなる部分を有するフランジスカート部を有し、フランジスカート部と蓋部の開口面とがなす角度が９０゜以下である部分を有する容器。
【発明の詳細な説明】
【０００１】
【発明の属する技術分野】
本発明は嵌合容器に関する。
【０００２】
【従来の技術】
食料品やその他のものを収納する本体と、その蓋からなり、本体と蓋が嵌合する容器は広く用いられている。例えば、特開平８−５３１４８号公報、特開平８−７２９０９号公報、特開平２０−２１８２１３号公報、特開２０００−８５８１３号公報、特開２００１−３９４４０号公報等がある。
【０００３】
【発明が解決しようとする課題】
本願は新規な嵌合構造を有する嵌合容器を提供するものである。
【０００４】
【課題を解決するための手段】
本発明は本体部、蓋部、連結部を有し、本体部はフランジ部を有し、蓋部は、本体部と蓋部を嵌合させたときに容器本体のフランジ部と接するフランジ部、該フランジ部から立ち上がるフランジスカート部を有し、フランジスカート部と蓋部の開口面とがなす角度と、フランジスカート部と蓋部のフランジ部が構成する開口面とがなす角度が共に９０゜以下である部分を有する容器である。また本発明は本体部、蓋部、連結部を有し、蓋部は、本体部と蓋部を嵌合させたときに逆テーパーとなる部分を有するフランジスカート部を有し、フランジスカート部と蓋部の開口面とがなす角度が９０゜以下である部分を有する容器である。
【０００５】
【発明の実施の形態】
本体部１は開口面を有する。開口面は図１では略矩形となっているが、それ以外の形、例えば円形、半円形、多角形、その他の形状とすることもできる。本体部１の底面２は平面とすることができるが、そこにはデザイン面あるいは機能面等においていろいろの形状、例えば凹凸、溝、台等を付与することができ、穴をあけることも可能である。本体部１の断面の形状は台形とすることができるが、それに限定されない。例えば半円状とすることもできる。本体部１は図１のようにフランジ部３を有することができる。フランジ部３により本体部１の剛性を増すことができる。この場合開口面はフランジ部３により構成される。底面２の周囲の側面４はフランジ部３に繋がる。後述のように本体部１のフランジ部３は蓋部５のフランジスカート部６と嵌合する。フランジ部３は図１のようにある巾をもつ平面とすることができる。フランジ部３の表面には凹凸や、模様を付すことができるし、凹部を設けることもできる。凹部により容器内部と外部を通気することができる。
【０００６】
本体部１の一部は連結部７に連なっている。例えば図１ではフランジ部３の一つの辺が連結部７と繋がっている。連結部７は本体部１と蓋部５をつないでいる。すなわち連結部７は本体部１と蓋部５を連結している。連結部７は、本体部１を蓋部５で蓋をする際に曲がることのできる柔軟な構造であることが好ましい。例えばヒンジ構造がある。図２に明らかなように連結部７の断面は略Ｕ字状のヒンジ構造となっている。ヒンジ構造は好ましい構造の例であるが、本願では連結部７の構造はそれに限定されるものではない。ヒンジ構造の一部に孔を開けることができる。
【０００７】
蓋部５の構造、特にフランジスカート部６は重要である。蓋部５は連結部７に連なっている。図１で蓋部５は本体部１のフランジ部３と同じあるいは略同一の開口面を構成するフランジ部８を有する。蓋部５を本体部１にかぶせたとき、本体部１のフランジ部３と蓋部５のフランジ部８が合わさる。蓋部５のフランジ部８により構成される開口面は図では略矩形となっているが、本体部１の開口面と同様にそれ以外の形、例えば円形、半円形、多角形、その他の形状とすることもできる。
フランジ部８は図１の表面は平面となっており、それは好ましい構造であるが、それに限定されない。例えば、フランジ部８に凹凸部を設けることができる。
図１で蓋部５の断面は略台形状である。蓋部５には本体部１と同様にデザイン面あるいは機能面においていろいろの形状、例えば凹凸、溝、台等を付与することができ、穴をあけることも可能である。
【０００８】
図１で蓋のフランジ部８からはフランジスカート部６が伸びている。フランジスカート部６は連結部７に近いところでは無いかあるいはその高さが低く、連結部７と反対のフランジ部８の辺では最も高くなる。蓋を閉めたときに、連結部７と反対に位置するフランジスカート部６は本体部１のフランジ部３（連結部７と反対側）と嵌合する。
フランジスカート部６の先端にはフランジを設けることができる（前記の蓋部５のフランジ部と区別するために本願では縁部９と呼ぶ）。縁部９と、連結部７に接するフランジ部８により蓋部５には開口面が形成される。フランジスカート部６は、フランジスカート部６がその開口面に対してなす角度１０が９０゜以下、好ましくは９０゜の部分を有し、同時にフランジスカート部６が蓋部５のフランジ部８により構成される開口面に対する角度１１が９０゜より浅い角度でなければならない。そのような状態で蓋を閉じると蓋を閉じた状態においてフランジスカート部６のその部分は容器側に傾く構造（アンダーテーパーまたは逆テーパーともいう）となるので、蓋部５と本体部１は嵌合した状態となる。図７において、フランジスカート部６は角度１２だけ容器側に傾いている。フランジスカート部６全てを蓋部５の開口面に対して９０゜とするのは好ましい態様の一つである。フランジスカート部６の一部を９０゜とし、他の部分は９０゜より浅い、すなわち９０゜より小さい角度とするのも好ましい態様の一つである。縁部９に近いフランジスカート部６を９０゜とし、フランジ部に近い部分を９０゜より浅くするのも好ましい態様の一つである。
蓋を閉めたとき本体部１のフランジ部３先端はフランジスカート部６の縁部９に接触する。容器が全く歪まない構造であれば嵌合させることはできないが、連結部７の柔軟性、あるいは二軸延伸ポリスチレンシート等の熱可塑性樹脂シートを用いると、容器は若干歪むので、本体部１のフランジ部３先端は、フランジスカート部６の縁部９を超えて容易に押し込むことができる。そうすると、本体部１のフランジ部３先端はフランジスカート部６と蓋部５のフランジ部とで構成される角に接し、容易に嵌合することができる。この状態において特に力を加えなければ本体部１のフランジ部先端はフランジスカート部６と蓋部５のフランジ部とで構成される角に安定して固定されているので蓋が開くことはない。しかし、少しの力により蓋を開くと、本体部１のフランジ部先端はフランジスカート部６の縁部９を容易に越えさせることができるので、簡単にあけることができる。
このような構造であるから、フランジスカート部６と、縁部９と、連結部７に接する蓋部５のフランジ部８により構成される開口面との角度１０は９０゜より浅くすることができる、ただし、フランジスカート部６と、蓋部５のフランジ部により構成される開口面とがなす角度１１が９０゜を超えない範囲でなければならない。
【０００９】
嵌合を強くするには、フランジスカート部６を高くするとよい。あるいは嵌合する本体部１のフランジ部６を外側に広げるのもよい。
【００１０】
前記のような構造の容器は容器を重ねて打ち抜くことが可能である。延伸ポリスチレンシートを熱成形して容器を製造する場合、容器以外のシートの部分を容器から切り離す必要がある。この切り離し作業の効率を上げるために、切り離す前の容器を何枚か重ねて一度に上から刃物で切り離される。この場合容器は積み重ねることができなければならない。本発明の容器はその構造中に逆テーパーになる部分がないので、積み重ねることができ、一度にまとめて切り離すことが可能である。すなわち、重ねぬきができる利点がある。このような重ねぬきを可能にするにはフランジスカート部６と、蓋部５のフランジ部８により構成される開口面とがなす角度１１が９０゜を超えない範囲でなければならない。９０゜を超えるとフランジスカート部６が逆テーパーとなり、シートから切り離す前の容器を積み重ねることができず、重ねぬきができない。
【００１１】
容器は熱可塑性樹脂シートを成形して製造することができる。延伸ポリスチレンシート、ＰＥＴシート等を好適に用いることができる。
【００１２】
【実施例】
（実施例１）
延伸ポリスチレンシート（電気化学工業社製）を用い、シートの巾方向に４列、長さ方向に５個、計一回の熱成形により２０個の容器を製造した。成形したシートを１０枚積み重ね、一度に不要なシートの部分をカッターで切り離し、一つ一つの容器を得た。得られた容器の蓋を閉めたところ容易に嵌合し、蓋を閉めた状態となった。蓋は容易に開けることができた。
【００１３】
【発明の効果】
本発明の容器は、重ねぬきが可能であり、しかも容易に蓋をすることができ、開けることができる。
【図面の簡単な説明】
【図１】本発明に係る容器の一例を示す上面図
【図２】図１の容器をＡ方向からみた側面図
【図３】図１の容器をＢ方向からみた蓋部の側面図
【図４】図１の容器をＣ方向からみた本体部１の側面図
【図５】図１の容器の蓋をしめて嵌合した状態の側面図
【図６】図１の点線で囲んだ部分の拡大図
【図７】図５の点線で囲んだ部分の拡大図
【符号の説明】
１　本体部
２　本体部の底面
３　本体部のフランジ部
４　本体部の側面
５　蓋部
６　フランジスカート部
７　連結部
８　蓋部のフランジ部
９　縁部
１０　フランジスカート部６が、縁部９と、連結部７に接するフランジ部８により構成される蓋部５の開口面に対してなす角度
１１　フランジスカート部６が、蓋部５のフランジ部８により構成される開口面に対してなす角度
１２　フランジスカート部６が容器側へ傾いている角度
【図１】
2004075106.tif 000003
【図２】
2004075106.tif 000004
【図３】
2004075106.tif 000005
【図４】
2004075106.tif 000006
【図５】
2004075106.tif 000007
【図６】
2004075106.tif 000008
【図７】
2004075106.tif 000009